(57)【要約】      （修正有）【課題】輝度ムラのない計器の照明を可能にする。【解決手段】一つの加飾用の導光体２５の外側面２０ｂ側に反射面を設けて、外周壁部材２０を導光する照明光３４を照明光３４ａに分割し透明カバー２３側に入射させることで、透明カバー２３の小リング２３ｂへの光量を増加させる。これにより、外側の外周壁部材２０の先端縁部２０ｃと、透明カバー２３の小リング２３ｂとの輝度差をなくして計器を照明することができる。【選択図】          図３
2004233241.tif 000002
【特許請求の範囲】
【請求項１】
文字板を囲んで配設されている導光性の外周壁部材と、前記外周壁部材の後端縁部から照明光を入射する光源と、前記外周壁部材の先端縁部近傍に配置されていて前記外周壁部材を通過する照明光の照射により発光する発光リングと、前記外周壁部材の基部近傍の内側面に形成した分割部からカバー基部が分割され、且つ前記文字板の表面側に該文字板から離隔させて小リングが配置された導光性の透明カバーと、を備える計器用の照明装置において、
前記外周壁部材の外周面に沿うと共に前記分割部に対応する位置に、前記光源からの照明光を前記透明カバーに分割可能な反射面を設けたことを特徴とする計器用の照明装置。
【請求項２】
前記反射面の光路に対する傾斜角は、３０°〜６０°であることを特徴とする請求項１に記載の計器用の照明装置。
【請求項３】
前記透明カバーは、前記光路分割部から前記頂部へ近づくにしたがって肉厚が徐々に薄くなるように変化していることを特徴とする請求項１又は２に記載の計器用の照明装置。
【発明の詳細な説明】
【０００１】
【発明の属する技術分野】
本発明は、例えば車両用の計器に使用される照明装置に関するものである。
【０００２】
【従来の技術】
自動車等の車両には、車室前部のインストルメントパネル部分に、速度計や回転計や水温計、オド・トリップメータ等の複数の計器部を有する指示計器（車両用表示装置）が取り付けられている。
【０００３】
このような車両用表示装置には、指針の回動領域を有する文字板における指針の周囲に、セグメント表示部及び自由表示部を有する小表示部を備えたものがある。この小表示部は、文字板の表面側にある断面山型形状の頂部に配置して立体感を持たせることにより、視覚効果を向上させている。
【０００４】
フロントカバーの端部に発光リングを配置して、フロントカバー内の導光性の外周壁部材を経る照明光によりリング状に発光させることにより装飾効果を出している。
【０００５】
さらに、上記外周壁部材からは、前記導光性の透明カバーのカバー基部が分割して延びていて、透明カバー頂部の小リングを発光させることで、前記小表示部を装飾して視覚効果の向上を図っている（特許文献１）。
【０００６】
【特許文献１】
特開平２００２−２９５６１９号
【０００７】
【発明が解決しようとする課題】
しかしながら、上記出願に関わる車両用表示装置によれば、指示計器の小表示部周りにある小リングは、外周壁部材の先端縁部近傍にある発光リングを照明するための光路から分割した照明光を、透明カバーにより導光して照明されていた。
【０００８】
このため、照明光のロスが多く、小リングの照明輝度が外側の発光リングよりも低くなって照明ムラを生じ、小リングが暗い輝度の照明となっていた。
【０００９】
この小リングの照明輝度を上げようとすると、光源としてのＬＥＤや照明バルブの個数を増加しなければならないという問題があった。
【００１０】
そこで、本発明は、外周壁部材の光路から透明カバーに照明光を分割可能にして透明カバーの小リングと外側の外周壁部材により発光される発光リングとの輝度差を低減して、輝度ムラのない計器の照明を可能にした計器用の照明装置を提供することを目的とするものである。
【００１１】
【課題を解決するための手段】
本発明は、上述事情に鑑みなされたものであって、請求項１に記載の発明は、文字板を囲んで配設されている導光性の外周壁部材と、前記外周壁部材の後端縁部から照明光を入射する光源と、前記外周壁部材の先端縁部近傍に配置されていて前記外周壁部材を通過する照明光の照射により発光する発光リングと、前記外周壁部材の基部近傍の内側面に形成した分割部からカバー基部が分割され、且つ前記文字板の表面側に該文字板から離隔させて小リングが配置された導光性の透明カバーと、を備える計器用の照明装置において、前記外周壁部材の外周面に沿うと共に前記分割部に対応する位置に、前記光源からの照明光を前記透明カバーに分割可能な反射面を設けたことを特徴としている。
【００１２】
このように構成された請求項１の発明では、光源からの照明光は、導光性の外周壁部材を導光されて、分割用の反射面により適正に分割される。すなわち、外周壁部材を通過する照明光は、外周壁部材に反射面がないときに比べると、反射面により増加された状態で分割されることで、導光性の透明カバーの頂部である小リングへ導光される。このため、透明カバーの小リングの照明輝度を外側の発光リングと同じ大きさにして、照明輝度の差を低減することができる。
【００１３】
また、小リングと発光リングとの照明輝度の差をなくしたことにより、光源用としてのＬＥＤや照明バルブ等の使用個数を低減することができる。
【００１４】
また、請求項２に記載の発明は、前記反射面の光路に対する傾斜角は、３０°〜６０°であることを特徴としている。
【００１５】
このように構成された請求項２に記載の発明では、外周壁部材の分割部に設けた反射面の傾斜角を３０°〜６０°にしたことで、透明カバーへの導光量を適正な値に設定することができ、透明カバーの中央のリングと発光リングとの照明輝度の差をなくして良好な指示計器の照明を実現することができる。
【００１６】
また、請求項３に記載の発明は、前記透明カバーは、前記光路分割部から前記頂部へ近づくにしたがって肉厚が徐々に薄く変化していることを特徴としている。
このように構成された請求項３発明では、透明カバーの肉厚が頂部、すなわち小リングに近づくにしたがって徐々に薄く変化しているため、透明カバー内の照明光は次第に集光され、小リングの照明輝度を増大させることができる。
【００１７】
【発明の実施の形態】
以下、本発明の具体的な実施の形態について、図面に沿って説明する。
【００１８】
図１、図２において、自動車等の車両における車室前部には、インストルメントパネルＰが設けられている。インストルメントパネルＰには、指示計器（車両用計器１）が設けられている。この車両用計器１は、複数の計器部２を有している。各計器部２は、例えば、速度計３や回転計４や水温計５や燃料計６等から構成されている。
【００１９】
各計器部２は、図３に示すように、指針７の回動領域を有する文字板８と、指針７を回動するムーブメント９及びＬＥＤなどの照明用の光源１０などを備えた基盤１１とを備えている。
【００２０】
基盤１１は文字板８の裏面側に所要の間隔を有して配設されている。また、文字板８と基盤１１とは共にケース１２に収容されている。
【００２１】
文字板８における指針７の回動領域の略中心部には、指針軸孔１３が形成されている。この指針軸孔１３に対してムーブメント９の出力軸（指針軸１４）が挿通されている。この指針軸１４の先端には、指針７の基部１５（指針回動中心）が取り付けられている。
【００２２】
また、指針７の回動領域の外周部には、目盛や数字などの表示部１７（図１、図２参照）が略円形に形成されている。ここで、文字板８は樹脂製の透明板を備えている。この文字板８に表示部１７を残して非透光性の印刷を施すことにより、透光性の表示部１７が形成されている。そして、文字板８の裏面側には光源１０からの照明光を文字板８の文字目盛等表示部へと導く導光体１８が設けられている。
【００２３】
ここで、文字板８は、平面視ほぼ円形状を呈している。また、文字板８は、側面視ほぼ凹面形状を呈している。これに対応して、指針７の側面形状も、文字板８の凹面状に沿った湾曲形状に形成されている。そして、指針７の基部１５には、指針７を発光させる光源１９が設けられている。
【００２４】
この実施の形態の車両用計器１では、上記の計器部２は、図１、図２に示すように、単眼風メータとされている。
【００２５】
即ち、文字板８の表面側外周を取り囲み筒状を呈する導光性の外周壁部材２０を設けることにより、各計器部２をそれぞれ独立させて、単眼風メータとしている。なお、水温計５と燃料計６とは同じ外周壁部材２０内に収容されている。これにより、３連の単眼風メータとしている。
【００２６】
そして、３連の単眼風メータの外周壁部材２０間を略円形の連結部２１をラップさせた状態で連結して、メータ意匠を構成している。そして、この連結部２１に各種の警告灯２２などが設けられている。
【００２７】
さらに、図３に示すように、文字板８の表面に対して文字板８から離隔させて導光性の透明カバー２３が支持されるようになっている。そして、透明カバー２３は、断面山型形状になっていて、外周壁部材２０の内周面へ向けて外光を反射させ得るよう構成されている。
【００２８】
更に、外周壁部材２０は、透明カバー２３と同一材質の透明材料で形成されている。そして、外周壁部材２０の側面２０ａ，２０ｂを隠蔽処理して、外周壁部材２０の先端縁部２０ｃが発光部２４となるように構成している。
【００２９】
そして、外周壁部材２０の後端縁部２１ｄには光源１０が配設されており、この光源１０からの照明光は発光部２４へ導くように構成されている。ここで、上記した照明用の光源１０を、文字板８の外周部で、且つ、導光体１８の側端部１７ａ及び外周壁部材２０の後端縁部２１ｄに配置することにより、光源１０は共用できるようになっている。
【００３０】
この光源１０には、例えば、ＬＥＤが用いられている。この光源１０は、外周壁部材２０の周方向に対し、所要の間隔をおいて複数個配置されている。例えば、光源１０は１０〜１２個程度配置されている。
【００３１】
次に、外周壁部材２０と透明カバー２３とで構成される加飾用の導光体２５について説明する。
【００３２】
断面山型形状をした透明カバー２３の裾野部（カバー基部）２３ａは、外周壁部材２０の内側面２０ａの後端縁部２１ｄ近傍に一体に接続している。すなわち、図４に示すように、外周壁部材２０は内側面２０ａの基部近傍の光路分割部２６から透明カバー２３のカバー基部としての裾野部２３ａが分割して延びている。
【００３３】
そして、山型形状をしている透明カバー２３の頂部がリング状になって文字板８の中央に加飾用の小リング２３ｂを形成している。この小リング２３ｂは、前記小表示部３５（図３参照）を囲んでいる。
【００３４】
さらに、外周壁部材２０の光路分割部２６には、外周壁部材２０の外側面２０ｂ側に沿って反射面２７が環状に形成されている。光源１０からは照明光３４が出射される。上記反射面２７の照明光３４に対する傾斜角θは、３０°〜６０°内に設定して形成されている。
【００３５】
また、透明カバー２３は、光路分割部２６から小リング２３ｂに近づくにしたがって光路分割部２６の肉厚ｔが徐々に薄くなるように形成されている。そして、小リング２３ｂは、断面が略円形状に形成されている。
【００３６】
光源１０からの照明光３４の一部の照明光３４ａは、外周壁部材２０により導光されて先端縁部２０ｃから発光リング３１を照明し、発光リング３１をリング状に発光させ計器部２の装飾効果を発生させる。
【００３７】
また、照明光３４の他の照明光３４ｂは、反射面２７により反射されて、透明カバー２３により導光され、頂部である小リング２３ｂを発光させる。
【００３８】
このように、一つの加飾用の導光体２５を外周壁部材２０と透明カバー２３とに分割して、外周壁部材２０の先端縁部２０ｃによるリング状の発光リング３１と透明カバー２３の小リング２３ｂとを、一組の光源１０により同時に照明することができる。
【００３９】
前記、外周壁部材２０の側面２０ａ，２０ｂの隠蔽処理は、内筒部材２８及び外筒部材２９から構成されて、内筒部材２８及び外筒部材２９の間に外周壁部材２０を収容している。上記内筒部材２８及び外筒部材２９によりフロントカバー３０が構成されている。なお、外周壁部材２０の側面２０ａ，２０ｂの隠蔽処理は、塗装などとしてもよい。
【００４０】
外周壁部材２０の先端縁部２０ｃの発光部２４には、内外周面が内筒部材２８及び外筒部材２９と面一になる加飾用の発光リング３１が、内筒部材２８及び外筒部材２９とは別体に設けられている。
【００４１】
発光リング３１の表面は、金属光沢を有すると共に照明光を透過可能に表面処理された薄膜３２が設けられている。
【００４２】
この実施の形態の計器部２では、更に、透明カバー２３に文字板８に対して浮遊状態となるように小表示部３５が配設されている。この小表示部３５には、例えば、シフトレンジ表示や方向指示表示などが表示されるようにしてある。
【００４３】
この小表示部３５は、透明カバー２３などの位置に取り付けてもよいが、好ましくは、透明カバー２３の指針７の基部１５と重なる位置、即ち、山型形状の透明カバー２３の頂部（小リング）２３ｂの裏面側に配置・固定させるとよい。
【００４４】
この小表示部３５は、矩形状のＬＥＤパネル又はＥＬパネルで構成され、例えば、ＬＥＤの場合はその背面には拡散板３６が接着され、その背後からバックライト３７で照明し得るように構成されている。このバックライト３７には、例えばＬＥＤが用いられる。これらの小表示部３５、拡散板３６、バックライト３７は、略円筒形のハウジング３８に収容されている。
【００４５】
そして、透明カバー２３の頂部２３ｂには、ハウジング３８の先端と略同一径の開口部３９が形成され、この開口部３９には遮光板４０が裏面に密接配置されている。また、ハウジング３８は開口部３９の裏面側の縁部にその全周を支持されている。更に、開口部３９の表面側の縁部には、リング状のレンズ４１が突設形成されている。
【００４６】
次に、本発明の実施の形態の作用について説明する。
【００４７】
この実施の形態によれば、文字板８の表面側外周を取り囲む筒状の外周壁部材２０を、透明カバー２３と同一材質の透明材料で形成し、外周壁部材２０の側面２０ａ，２０ｂを隠蔽処理して、外周壁部材２０の後端縁部２１ｄに光源１０を配設することにより、外周壁部材２０を導光体として利用し、外周壁部材２０の先端縁部２０ｃを発光部２４としてリング状に光らせることができる。これにより、計器部２の新たな視覚効果を得ることができる。
【００４８】
また、透明カバー２３と外周壁部材２０とを一体に接続すること、すなわち、外周壁部材２０から透明カバー２３を分割させて一体化することにより、構造を簡単化し、機能を集約して、部品コストを削減することができる。
【００４９】
更に、この実施の形態によれば、透明カバー２３に、文字板８に対して浮遊状態となるよう小表示部３５を配設したことにより、小表示部３５が文字板８の表面に対して宙に浮遊した状態に見えるため、立体感のある新たな視覚効果を得ることができる。
【００５０】
これに加えて、外周壁部材２０に形成した反射面２７の傾斜角θが３０°〜６０°に形成可能になっているので、反射面２７の傾斜角θを選択的に設定することで、透明カバー２３に対する入射光量を所望の値に選択することができる。
【００５１】
なお、傾斜角θの大きさの他に、反射面２７の面積の大きさを選択的に変えれば、透明カバー２３への照明光３４ｂの値を、傾斜角θの選択と相まって幅広く選択することができ、照明装置の設計の自由度を向上させることができる。
【００５２】
また、照明光３４ｂが透明カバー２３により導光されるとき、透明カバー２３が小リング２３ｂに近づくにしたがって徐々に薄くなっていることで、照明光３４ｂは次第に集光されていって小リング２３ｂにおいて高い輝度を得ることができる。
【００５３】
このように、光源１０の照明光３４を反射面２７により反射させて透明カバー２３側に分割させることで、透明カバー２３の小リング２３ｂに対する照明光３４ｂがロスを生じることなく入射されて、小リング２３ｂを高輝度にさせることができる。
【００５４】
この結果、計器部２における発光リング３１と小リング２３ｂとの輝度差が解消できて、計器部２の装飾効果を向上させることができる。
【００５５】
以上説明した本発明の実施の形態の計器用の照明装置は、文字板８を囲んで配設されている導光性の外周壁部材２０と、前記外周壁部材２０の後端縁部２０ｄから照明光３４を入射する光源１０と、前記外周壁部材２０の先端縁部２０ｃ近傍に配置されていて前記外周壁部材２０を通過する照明光３４ａの照射により発光する発光リング３１と、を有している。また、計器用の照明装置は、前記外周壁部材２０の基部２０ｄ近傍の内側面２０ａに形成した分割部２６からカバー基部２３ａが分割し、且つ前記文字板８の表面側に該文字板８から離隔させて小リング２３ｂが配置された導光性の透明カバー２３と、を備えている。
【００５６】
しかも、前記外周壁部材２０の外周面２０ｂに沿うと共に前記分割部２６に対応する位置に、前記光源１０からの照明光３４ｂを前記透明カバー２３に分割可能な反射面２７を設けてある。
【００５７】
この構成によれば、光源からの照明光３４は、導光性の外周壁部材２０を導光されて、分割用の反射面２７により適正に分割される。すなわち、外周壁部材２０を通過する照明光３４は、外周壁部材に反射面がないときに比べると、反射面２７により増加された状態で分割されることで、導光性の透明カバー２３の頂部である小リン２３ｂへ導光される。このため、透明カバー２３の小リング２３ｂの照明輝度を外側の発光リング３１と同じ大きさにして、照明輝度の差を低減することができる。
【００５８】
また、小リング２３ｂと発光リング３１との照明輝度の差をなくしたことにより、光源用としてのＬＥＤや照明バルブ等の使用個数を低減することができる。
【００５９】
また、本発明の実施の形態の計器用の照明は、前記反射面２７の光路に対する傾斜角は、３０°〜６０°になっている。
【００６０】
この構成によれば、外周壁部材２０の光路分割部２６に設けた反射面２７の傾斜角を３０°〜６０°にしたことで、透明カバー２３への導光量を適正な値に設定することができ、透明カバー２３の中央のリング２３ｂと発光リング３１との照明輝度の差をなくして良好な指示計器１の照明を実現することができる。
【００６１】
さらに、本発明の実施の形態の計器用の照明装置は、前記透明カバー２３は、前記光路分割部２６から前記頂部（小リング２３ｂ）へ近づくにしたがって肉厚が徐々に薄く変化している。
【００６２】
この構成によれば、透明カバー２３の肉厚が頂部、すなわち小リング２３ａに近づくにしたがって徐々に薄く変化しているため、透明カバー２３内の照明光は次第に集光され、小リング２３ｂの照明輝度を増大させることができる。
【００６３】
【発明の効果】
以上説明したように、請求項１の発明によれば、光源からの照明光は、導光性の外周壁部材を導光されて、分割用の反射面により適正に分割される。すなわち、外周壁部材を通過する照明光は、外周壁部材に反射面がないときに比べると、反射面により増加された状態で分割されることで、導光性の透明カバーの頂部である小リングへ導光される。このため、透明カバーの小リングの照明輝度を外側の発光リングと同じ大きさにして、照明輝度の差を低減することができる。
【００６４】
また、小リングと発光リングとの照明輝度の差をなくしたことにより、光源用としてのＬＥＤや照明バルブ等の使用個数を低減することができる。
【００６５】
また、請求項２の発明によれば、外周壁部材の分割部に設けた反射面の傾斜角を３０°〜６０°にしたことで、透明カバーへの導光量を適正な値に設定することができ、透明カバーの中央のリングと発光リングとの照明輝度の差をなくして良好な指示計器の照明を実現することができる。
【００６６】
また、請求項３の発明によれば、透明カバーの肉厚が頂部、すなわち小リングに近づくにしたがって徐々に薄く変化しているため、透明カバー内の照明光は次第に集光され、小リングの照明輝度を増大させることができる。
【図面の簡単な説明】
【図１】本発明の実施の形態に関わる計器用の照明装置が適用された車両用表示装置のの斜視図である。
【図２】図１に示す車両用表示装置の正面図である。
【図３】図２におけるＡ−Ａ線断面図である。
【図４】加飾用の導光体を構成する外周壁部材及び透明カバーの縦断面図である。
【符号の説明】
θ            反射面の傾斜角
ｔ            透明カバーの肉厚
７                      指針
８                        文字板
１０                  光源
２０                    外周壁部材
２０ａ                内側面
２０ｂ                外側面
２０ｃ                先端縁部
２０ｄ                後端縁部
２３                    透明カバー
２３ａ                透明カバーの裾野部（カバー基部）
２３ｂ                透明カバーの頂部（小リング）
２５（２０，２３）  加飾用の導光体
２６          分割部
２７                    反射面
３０                    フロントカバー
３１                    発光リング
３４                    照明光
【図１】
2004233241.tif 000003
【図２】
2004233241.tif 000004
【図３】
2004233241.tif 000005
【図４】
2004233241.tif 000006